(57)【要約】輝度ムラを抑制可能な照明装置を提供することを目的とする。本発明に係る照明装置は、発光面２２Ａを有するＬＥＤ２２と、発光面２２Ａと対向状に配されるとともに発光面２２Ａからの光が入射される光入射面５０Ｄ及び、その光を出射させる光出射面５０Ａを有する導光板５０と、光出射面５０Ａを覆う形で配された光学部材４０と、を備え、光学部材４０におけるＬＥＤ２２側の端部には、光学部材４０のＬＥＤ２２の側面４１Ａ〜４３Ａから光学部材４０内に入射する光を遮る遮光部６０が配されていることを特徴とする。
2011077866.tif 000002
【特許請求の範囲】
【請求項１】
発光面を有する光源と、
前記発光面と対向状に配されるとともに前記発光面からの光が入射される光入射面及び、その光を出射させる光出射面を有する導光板と、
前記光出射面を覆う形で配された光学部材と、を備え、
前記光学部材における前記光源側の端部には、前記光学部材の前記光源側の側面から前記光学部材内に入射する光を遮る遮光部が配されていることを特徴とする照明装置。
【請求項２】
前記光源、前記導光板及び前記光学部材を収容する収容部材を備え、
前記遮光部は、前記収容部材の一部を突き出すことで形成され、前記光学部材における前記光源側の側面を覆う形で配されていることを特徴とする請求項１に記載の照明装置。
【請求項３】
前記遮光部は、遮光性を有する塗料を前記光学部材における前記光源側の側面に塗布することで形成されていることを特徴とする請求項１に記載の照明装置。
【請求項４】
前記遮光部は、遮光性部材を前記光学部材における前記光源側の端部内に混入することで形成されていることを特徴とする請求項１に記載の照明装置。
【請求項５】
前記遮光部は、光を吸収可能な光吸収部であることを特徴とする請求項１から請求項４のいずれか１項に記載の照明装置。
【請求項６】
前記遮光部は、光を反射可能な光反射部であることを特徴とする請求項１から請求項４のいずれか１項に記載の照明装置。
【請求項７】
前記光学部材は、光拡散部材を備えることを特徴とする請求項１から請求項６のいずれか１項に記載の照明装置。
【請求項８】
前記光学部材は、プリズムシートを備えることを特徴とする請求項１から請求項７のいずれか１項に記載の照明装置。
【請求項９】
前記光学部材は、反射型偏光シートを備えることを特徴とする請求項１から請求項８のいずれか１項に記載の照明装置。
【請求項１０】
前記光源は、発光ダイオードであることを特徴とする請求項１から請求項９のいずれか１項に記載の照明装置。
【請求項１１】
請求項１から請求項１０のいずれか１項に記載の照明装置と、
前記照明装置からの光を利用して表示を行う表示パネルと、を備えることを特徴とする表示装置。
【請求項１２】
前記表示パネルが液晶を用いた液晶パネルであることを特徴とする請求項１１に記載の表示装置。
【請求項１３】
請求項１１又は請求項１２に記載された表示装置を備えることを特徴とするテレビ受信装置。
【発明の詳細な説明】
【技術分野】
【０００１】
本発明は、照明装置、表示装置、及びテレビ受信装置に関する。
【背景技術】
【０００２】
近年、画像表示装置の表示素子としては、液晶パネルやプラズマディスプレイパネルなどの薄型表示素子が用いられ、画像表示装置の薄型化を可能としている。表示素子として液晶パネルを用いた場合、液晶パネルは自発光しないため、別途に照明装置（バックライト装置）を必要としている。【０００３】
照明装置の一例として下記特許文献１に記載されたものが知られている。この照明装置は、当該照明装置の側端部（サイドエッジ）に配された光源（例えばＬＥＤ）と、光源からの光を液晶パネルの表示面に向けて出射させる導光板と、を備える。光源は、導光板の光入射面に向かって配されており、光入射面から入射した光は、導光板内で全反射を繰り返すことで導光され、光出射面から出射される。また、導光板の光出射面を覆う形で、光拡散シートやプリズムシートなどの光学部材が配された構成のものが知られている。
【先行技術文献】
【特許文献】
【０００４】
【特許文献１】特開２００７−２９３３３９号公報
【０００５】
（発明が解決しようとする課題）
上記のような導光板の光出射面を覆う形で、光学部材が配された構成においては、光源から出射された光が、光学部材における光源側の側面から入射する場合がある。光学部材における光源側の側面から光が入射すると、その光は光学部材内で全反射を繰り返し、照明装置の内側へ導光される場合がある。その結果、光学部材内で導光された光が照明装置の光出射面において、局所的に出射され、輝度ムラとなるおそれがある。
【発明の概要】
【０００６】
本発明は上記のような事情に基づいて完成されたものであって、輝度ムラを抑制可能な照明装置を提供することを目的とする。また、このような照明装置を備えた表示装置、及びテレビ受信装置を提供することを目的とする。
【０００７】
（課題を解決するための手段）
上記課題を解決するために、本発明の照明装置は、発光面を有する光源と、前記発光面と対向状に配されるとともに前記発光面からの光が入射される光入射面及び、その光を出射させる光出射面を有する導光板と、前記光出射面を覆う形で配された光学部材と、を備え、前記光学部材における前記光源側の端部には、前記光学部材の前記光源側の側面から前記光学部材内に入射する光を遮る遮光部が配されていることに特徴を有する。
【０００８】
本発明においては、光学部材における光源側の端部に、光源側の側面から光学部材内に入射する光を遮る遮光部が配されている。このような構成とすれば、光源からの光が光学部材における光源側の側面から、光学部材内に入射し、光学部材内で導光される事態を抑制できる。この結果、導光された光が照明装置の光出射面において、局所的に出射される事態を抑制でき、輝度ムラが生じることを抑制できる。
【０００９】
上記構成において、前記光源、前記導光板及び前記光学部材を収容する収容部材を備え、前記遮光部は、前記収容部材の一部を突き出すことで形成され、前記光学部材における前記光源側の側面を覆う形で配されているものとすることができる。収容部材の一部を突き出して遮光部とすれば、遮光部を別途取り付ける必要がなく、組み付けに係るコストを低減できる。
【００１０】
また、前記遮光部は、遮光性を有する塗料を前記光学部材における前記光源側の側面に塗布することで形成されているものとすることができる。塗料を塗布することで遮光部を形成する構成とすれば、遮光部をより小さく形成することができ、照明装置の大型化を抑制できる。
【００１１】
また、前記遮光部は、遮光性部材を前記光学部材における前記光源側の端部内に混入することで形成されているものとすることができる。前記光学部材の前記光源側の端部に遮光性部材を混入する構成とすれば、遮光部を別途取り付ける必要がなく、組み付けに係るコストを低減できる。
【００１２】
また、前記遮光部は、光を吸収可能な光吸収部であるものとすることができる。光源側の側面から前記光学部材内に入射する光を遮光部によって吸収することができ、光学部材内に入射することをより確実に抑制できる。
【００１３】
また、前記遮光部は、光を反射可能な光反射部であるものとすることができる。
【００１４】
前記光学部材は、光拡散部材を備えるものとすることができる。
【００１５】
前記光学部材は、プリズムシートを備えるものとすることができる。
【００１６】
前記光学部材は、反射型偏光シートを備えるものとすることができる。
【００１７】
前記光源としては、発光ダイオードを例示することができる。発光ダイオードを使用することで消費電力を抑えることができる。
【００１８】
次に、上記課題を解決するために、本発明の表示装置は、上述した照明装置と、前記照明装置からの光を利用して表示を行う表示パネルと、を備えることを特徴とする。
【００１９】
また、前記表示パネルとしては液晶パネルを例示することができる。このような表示装置は液晶表示装置として、種々の用途、例えばテレビやパソコンのデスクトップ画面等に適用でき、特に大型画面用として好適である。
【００２０】
次に、上記課題を解決するために、本発明のテレビ受信装置は、上記表示装置を備えることを特徴とする。
【００２１】
（発明の効果）
本発明によれば、輝度ムラを抑制可能な照明装置と、このような照明装置を備えた表示装置、テレビ受信装置を提供することが可能となる。
【図面の簡単な説明】
【００２２】
【図１】本発明の実施形態１に係るテレビ受信装置の概略構成を示す分解斜視図。
【図２】図１のテレビ受信装置が備える液晶表示装置の概略構成を示す分解斜視図。
【図３】図２の液晶表示装置の短辺方向に沿った断面構成を示す断面図。
【図４】比較例を示す断面図。
【図５】本発明の実施形態２に係る液晶表示装置の短辺方向に沿った断面構成を示す断面図。
【図６】本発明の実施形態３に係る液晶表示装置の短辺方向に沿った断面構成を示す断面図。
【発明を実施するための形態】
【００２３】
＜実施形態１＞
本発明の実施形態１を図１ないし図４によって説明する。なお、各図面の一部にはＸ軸、Ｙ軸及びＺ軸が描かれており、各軸方向が各図面で共通した方向となるように描かれている。また、図３に示す上側を表側とし、同図下側を裏側とする。
【００２４】
本実施形態に係るテレビ受信装置ＴＶは、図１に示すように、液晶表示装置１０と、当該液晶表示装置１０を挟む形で収容する表裏両キャビネットＣａ，Ｃｂと、電源Ｐと、チューナーＴと、スタンドＳと、を備えている。
【００２５】
図２に、液晶表示装置１０の分解斜視図を示す。ここで、図２に示す上側を表側とし、同図下側を裏側とする。図２に示すように、液晶表示装置１０は、全体として横長の方形をなし、表示パネルである液晶パネル１２と、外部光源であるバックライト装置３４と、を備え、これらが枠状をなすベゼル１４などにより一体的に保持されるようになっている。
【００２６】
図２に示すように、液晶表示装置１０を構成する液晶パネル１２は、平面視矩形状をなしており、その長辺方向が水平方向（Ｘ軸方向）と一致し、短辺方向が鉛直方向（Ｙ軸方向）と一致している。液晶パネル１２は、透明な（高い透光性を有する）一対のガラス基板が所定のギャップを隔てた状態で貼り合わせられるとともに、両ガラス基板間に液晶層（図示しない）が封入された構成とされる。一方のガラス基板には、互いに直交するソース配線とゲート配線とに接続されたスイッチング素子（例えばＴＦＴ）と、そのスイッチング素子に接続された画素電極、さらには配向膜等が設けられ、他方のガラス基板には、Ｒ（赤色），Ｇ（緑色），Ｂ（青色）等の各着色部が所定配列で配置されたカラーフィルタや対向電極、さらには配向膜等が設けられている。このうち、ソース配線、ゲート配線および対向電極などには、図示しない駆動回路基板から画像を表示するのに必要な画像データや各種制御信号が供給されるようになっている。なお、両ガラス基板の外側には偏光板（図示しない）が配されている。
【００２７】
次に、バックライト装置３４について説明する。図２に示すように、バックライト装置３４は、バックライトシャーシ３２と、フロントシャーシ１６とから構成される収容部材１５を備え、収容部材１５には、ＬＥＤユニット２６、導光板５０、光学部材４０とが収容されている。本実施形態に係るバックライト装置３４は、導光板５０が液晶パネル１２の直下に配されていると共にＬＥＤ２２（Light Emitting Diode：発光ダイオード、光源）が導光板５０の側端部に配されてなる、いわゆるエッジライト方式（サイドライト方式）を採用している。
【００２８】
バックライトシャーシ３２は、表側（光出射側、液晶パネル１２側）に開口した略箱型をなしている。光学部材４０は、バックライトシャーシ３２の開口部を覆うようにして配されている。フロントシャーシ１６は、光学部材４０を表側から露出させるための開口部１６ａが形成された矩形枠状をなしており、光学部材４０を囲むようにして配されている。また、フロントシャーシ１６の内周端部には、段差部１７が形成されており、その段差部１７には、液晶パネル１２の周縁部が載置されている。これにより、導光板５０から出射された光が、光学部材４０を経由し、その後、開口部１６ａを通じて液晶パネル１２の裏側に照射される構成となっている。
【００２９】
バックライトシャーシ３２は、例えばアルミ系材料などの金属製とされ、平面視矩形状をなす底板３２ａと、底板３２ａの両長辺および両短辺の各外縁からそれぞれ表側へ立ち上がる側板３２ｂ，３２ｃと、から構成されている。底板３２ａは、その長辺方向が水平方向（Ｘ軸方向）と一致し、短辺方向が鉛直方向（Ｙ軸方向）と一致している。底板３２ａの裏側には、ＬＥＤユニット２６に電力を供給する電源回路基板（図示せず）等が取り付けられている。
【００３０】
ＬＥＤユニット２６は、バックライトシャーシ３２の長辺方向（Ｘ軸方向）に沿った両側板３２ｂのうち、一方の側板３２ｂにおける内面側に例えばビス留め等により取り付けられている。ＬＥＤユニット２６は、図２に示すように、Ｘ軸方向に沿って延びる矩形状をなすＬＥＤ基板２４に、白色発光するＬＥＤ２２が直線状に配列された構成となっている。
【００３１】
図３に示すように、ＬＥＤ２２は、その光軸ＬＡが、液晶パネル１２の表示面又は導光板５０の光出射面５０Ａと並行する方向（Ｙ軸方向）に沿って配されており、その発光面２２Ａが、導光板５０の側面（光入射面５０Ｄ）を向く形で配されている。なお、ＬＥＤ２２から発せられる光は、光軸ＬＡを中心にして所定の角度範囲内で三次元的にある程度放射状に広がるのであるが、その指向性は、例えば冷陰極管などと比べると高くなっている。つまり、ＬＥＤ２２の発光強度は、光軸ＬＡに沿った方向が際立って高く、光軸ＬＡに対する傾き角度が大きくなるに連れて急激に低下するような傾向の角度分布を示す。
【００３２】
ＬＥＤ２２は、発光素子である複数のＬＥＤチップを樹脂材などでハウジング内に封止した構成とされる。このＬＥＤ２２は、例えば、主発光波長の異なる３種類のＬＥＤチップを内蔵しており、具体的には各ＬＥＤチップがＲ（赤色）、Ｇ（緑色）、Ｂ（青色）を単色発光するようになっている。なお、ＬＥＤ２２の構成は、この構成に限定されず、他の構成であってもよい。例えば、ＬＥＤ２２は、Ｂ（青色）を単色発光するＬＥＤチップを内蔵し、Ｒ（赤色）の領域に発光ピークを持つ蛍光体及び、Ｇ（緑色）の領域に発光ピークを持つ蛍光体とが混入された樹脂（例えばシリコン系樹脂）で、そのＬＥＤチップを覆った構成であってもよい。また、ＬＥＤ２２は、Ｂ（青色）を単色発光するＬＥＤチップを内蔵し、ＹＡＧ蛍光体などの黄色を発光する蛍光体が混入された樹脂（例えばシリコン系樹脂）で、そのＬＥＤチップを覆った構成であってもよい。
【００３３】
ＬＥＤ基板２４は、表面（導光板５０との対向面を含む）が光の反射性に優れた白色を呈する合成樹脂製とされている。ＬＥＤ基板２４は、図２に示すように、Ｘ軸方向に延びる矩形板状をなし、その長辺寸法は、底板３２ａの長辺寸法より、わずかに小さい値（又はほぼ同じ値）で設定されている。また、底板３２ａには、ＬＥＤ基板２４をネジ止めするための取付孔（図示せず）が所定位置に貫通形成されている。
【００３４】
ＬＥＤ基板２４には、金属膜からなる配線パターン（不図示）が形成され、複数のＬＥＤ２２が所定の位置に実装されている。このＬＥＤ基板２４には、図示しない制御基板が接続されており、そこからＬＥＤ２２の点灯に必要な電力が供給されるとともにＬＥＤ２２の駆動制御が可能となっている。
【００３５】
導光板５０は、平面視方形状の板状部材とされ、バックライトシャーシ３２の長辺方向（Ｘ軸方向）に長い形状をなす。導光板５０は、アクリル等の透光性の大きい（透明度の高い）樹脂により形成されている。導光板５０は、図２に示すように、主板面（光出射面５０Ａ）を液晶パネル１２側に向け、側面のうち一面（光入射面５０Ｄ）がＬＥＤ２２の発光面２２Ａと対向状に配されている。なお、導光板５０は、平面視方形状に限定されず、それ以外の形状であってもよい。
【００３６】
導光板５０において、光出射面５０Ａとは反対側の面５０Ｂ（裏側の面５０Ｂ）には、複数の光反射部５１が形成されている。光反射部５１は、例えば、白色を呈するドットパターンによって構成され、光を散乱反射させる機能を担っている。従って、光反射部５１にて散乱反射されて光出射面５０Ａに向かう光には、光出射面５０Ａに対する入射角が臨界角を超えない光（全反射されない光）が生じ、もって光を光出射面５０Ａから、液晶パネル１２側へと出射させることが可能とされる。光反射部５１は、例えば平面視丸形をなす複数のドットをジグザグ状（千鳥状、互い違い状）に配置することで構成されている。各ドットは、例えば金属酸化物が含有されたペーストを導光板５０の裏側の面５０Ｂに印刷することで形成される。当該印刷手段としては、スクリーン印刷、インクジェット印刷等が好適である。
【００３７】
以上の構成によって、各ＬＥＤ２２の発光面２２Ａから出射された光は、導光板５０の光入射面５０Ｄから、導光板５０内に入射され、その後、全反射によって導光板５０内で導光され、光反射部５１にて散乱反射されることで、光出射面５０Ａから出射される。そして、光出射面５０Ａからの出射光は、光学部材４０を経由した後、液晶パネル１２の背面側に照射される。なお、各光反射部５１は、例えば、上述したフロントシャーシ１６の開口部１６ａに対応する範囲（開口部１６ａと平面視において重畳する範囲）に形成されている。
【００３８】
また、バックライトシャーシ３２の底板３２ａには、光反射シート３０が敷設されている。光反射シート３０は、平面視方形状をなし、導光板５０の裏側の面５０Ｂのほぼ全域及び、ＬＥＤユニット２６を裏側から覆う形で配されている。光反射シート３０は、例えば合成樹脂製とされ、表面が光の反射性に優れた白色を呈するものとされる。この光反射シート３０によって、導光板５０から光反射シート３０側へ出射された光を、再度光出射面５０Ａ側へ反射させることができ、光の利用効率を高くすることができる。また、光反射シート３０は、ＬＥＤ２２から、光反射シート３０側へ出射された光を反射させることで、導光板５０の光入射面５０Ｄへ入射させる機能も担っている。なお、光反射シート３０の材料、色などは、本実施形態のものに限定されるものではなく、光を反射する機能を備えているものであればよい。
【００３９】
光学部材４０は、導光板５０の光出射面５０Ａを表側から覆う形で配されており、光出射面５０Ａ側から順に光拡散シート４１（光拡散部材）、プリズムシート４２、反射型偏光シート４３が積層されたものである。光拡散シート４１は、例えば、合成樹脂製の透光性基材の表面に光散乱粒子を分散配合した拡散層を貼り合わせてなり、光出射面５０Ａから出射された光を拡散する機能を有する。プリズムシート４２は、光拡散シート４１を経由した光の進行方向を調節する機能を有する。
【００４０】
反射型偏光シート４３は、例えば屈折率の互いに異なる層を交互に積層した多層構造を有しており、光出射面５０Ａから出射された光のうちｐ波を透過させ、ｓ波を導光板５０側へ反射させる構成となっている。反射型偏光シート４３によって反射されたｓ波は光反射シート３０等によって、再度表側に反射され、その際に、ｓ波とｐ波に分離する。このように、反射型偏光シート４３を備えることで、本来ならば、液晶パネル１２の偏光板によって吸収されるｓ波を再利用することができ、光の利用効率（ひいては輝度）を高めることができる。なお、このような反射型偏光シート４３の一例として、住友スリーエム株式会社製の商品名「ＤＢＥＦ」などを挙げることができる。
【００４１】
図２に示すように、光拡散シート４１、プリズムシート４２及び反射型偏光シート４３は、導光板５０の形状と同様に、平面視において、それぞれＸ軸方向に長い方形状をなす。そして、光拡散シート４１、プリズムシート４２及び反射型偏光シート４３の面積は、導光板５０の光出射面５０Ａと、ほぼ同じ面積で設定され、導光板５０の光出射面５０Ａの全面を表側から覆う構成となっている。なお、光学部材４０を構成する各シート４１〜４３は、平面視方形状に限定されず、それ以外の形状であってもよく、導光板５０の光出射面５０Ａの少なくとも一部を表側から覆うことが可能な形状であればよい。
【００４２】
フロントシャーシ１６において、段差部１７の基端部付近には、遮光部６０が形成されている。遮光部６０は、フロントシャーシ１６の一部（つまり、収容部材１５の一部）を裏側へ突き出すことで形成されており、光学部材４０におけるＬＥＤ２２側の端部（図３では左側の端部）に配されている。
【００４３】
遮光部６０はＸ軸方向に長い形状をなしており、その長さは、例えば光学部材４０のＸ軸方向の長さと同じで設定されている。また、Ｙ軸方向において、遮光部６０の裏側への突出端（図３の下端）は、例えば、光拡散シート４１の裏側の面とほぼ同じ位置とされる。これにより、遮光部６０は、光学部材４０を構成する光拡散シート４１、プリズムシート４２及び反射型偏光シート４３におけるＬＥＤ２２側の各側面４１Ａ〜４３Ａ（光学部材の光源側の側面）をそれぞれ覆う形で配される構成となっており、光学部材４０のＬＥＤ２２側の各側面４１Ａ〜４３Ａから各シート４１〜４３内に入射する光を遮る機能を担っている。なお、遮光部６０は各光学部材４０のＬＥＤ２２側の各側面４１Ａ〜４３Ａの一部のみを覆う構成であってもよい。
【００４４】
そして、フロントシャーシ１６は、その表面が光吸収性に優れた黒色で設定されている。これにより、フロントシャーシ１６の一部である遮光部６０も黒色を呈し、光を吸収可能な光吸収部とされる。なお、フロントシャーシ１６全体を黒色で設定する構成に限定されず、遮光部６０だけを黒色で着色することで、光吸収部としてもよい。
【００４５】
次に、本実施形態における効果について説明する。まず、光出射面５０ＡにおけるＬＥＤ２２側の端部に、遮光部６０が形成されていることで奏する効果について、図３及び図４を用いて説明する。図４は、この効果を説明するための比較例を示す図であり、遮光部６０が配されていない構成である。
【００４６】
図４のような構成では、ＬＥＤ２２から出射された光の一部（図４の矢線Ｌ２で示す）が、光入射面５０Ｄの表側に到達した場合において、光学部材４０の各側面４１Ａ〜４３Ａから、各光学部材４０内に入射する場合がある。ここでは、光学部材４０のうち、プリズムシート４２におけるＬＥＤ２２側の側面４２Ａに光Ｌ２が入射した場合を例に挙げて説明する。
【００４７】
プリズムシート４２におけるＬＥＤ２２側の側面４２Ａから入射した光Ｌ２は、プリズムシート４２内で全反射を繰り返し、バックライト装置３４の内側（図４では右側）へ導光される。そして、内側へと導光された光Ｌ２は、プリズムシート４２において、例えば、フロントシャーシ１６の開口部１６ａに対応する箇所（フロントシャーシ１６の内側領域）から、表側に出射される場合がある。これにより、バックライト装置３４の光出射面（平面視においてフロントシャーシ１６の開口部１６ａに対応する領域）において、光Ｌ２が出射された箇所は、他の箇所よりも輝度が高くなり、輝度ムラとなりやすい。
【００４８】
ここでは、プリズムシート４２の側面４２Ａから光Ｌ２が入射した場合を例示したが、光拡散シート４１及び反射型偏光シート４３の側面４１Ａ，４３Ａから、それぞれ光が入射した場合も同様の現象（各シート内を光が導光し、局所的に出射される現象）が起こり得る。なお、プリズムシート４２と光拡散シート４１とを比較した場合、プリズムシート４２内を導光した光の方が、輝度ムラの原因となりやすい。これは光拡散シート４１内を導光する光は、光拡散シート４１内で拡散されるため、仮に表側に出射された場合であっても輝度ムラとなりにくいためである。
【００４９】
上記のような事情を受け、本実施形態のバックライト装置３４においては、光学部材４０の各側面４１Ａ〜４３Ａを覆う形で、遮光部６０を配する構成とした。このような構成とすれば、ＬＥＤ２２から光学部材４０の各側面４１Ａ〜４３Ａに向かう光は遮光部６０によって、遮光される（本実施形態においては、光が吸収される）。これにより、光が光学部材４０を構成する各シート４１〜４３内に入射し、各シート４１〜４３内で導光される事態を抑制できる。この結果、各シート４１〜４３内で導光された光がバックライト装置３４の光出射面において、局所的に出射される事態を抑制でき、輝度ムラが生じることを抑制できる。
【００５０】
また、ＬＥＤ２２、導光板５０及び光学部材４０を収容する収容部材１５を備え、遮光部６０は、収容部材１５の一部を突き出すことで形成され、光学部材４０におけるＬＥＤ２２側の側面４１Ａ〜４３Ａを覆う形で配されている。収容部材１５の一部を突き出して遮光部６０とすれば、遮光部６０を別途取り付ける必要がなく、組み付けに係るコストを低減できる。
【００５１】
また、遮光部６０は、光を吸収可能な光吸収部である。このような構成とすれば、光学部材４０におけるＬＥＤ２２側の側面４１Ａ〜４３Ａから各シート４１〜４３内に入射する光を遮光部６０によって吸収することができ、光学部材４０内に光が入射することをより確実に抑制できる。
【００５２】
＜実施形態２＞
次に、本発明の実施形態２を図５によって説明する。実施形態１と同一部分には、同一符号を付して重複する説明を省略する。図５に示すように、本実施形態に係る液晶表示装置２１０のバックライト装置２３４において、遮光部２６０は、光吸収性の優れた色（例えば黒色）の塗料を、光学部材４０におけるＬＥＤ２２側の各側面４１Ａ〜４３Ａに塗布することで形成されている。
【００５３】
このような構成とすれば、ＬＥＤ２２側の側面から各シート４１〜４３の各側面４１Ａ〜４３Ａに向かう光を遮光部２６０によって吸収することができ、各シート４１〜４３内に入射することを抑制できる。なお、遮光部２６０は、光学部材４０におけるＬＥＤ２２側の各側面４１Ａ〜４３Ａの全面に塗布されていてもよいし、各側面４１Ａ〜４３Ａの一部だけに塗布されていてもよい。
【００５４】
なお、遮光部２６０を、光を反射可能な光反射部としてもよい。具体的には、光を反射させる機能を有する塗料（例えば白色の塗料）を光学部材４０におけるＬＥＤ２２側の各側面４１Ａ〜４３Ａに塗布することで遮光部２６０を構成してもよい。また、このような塗料に例えば金属酸化物を含有することで、遮光部２６０に光を散乱させる機能を付加してもよい。つまり、遮光部２６０は、遮光性を有していればよい。本実施形態のように塗料を塗布することで遮光部２６０を形成する構成とすれば、遮光部２６０をより小さく形成することができ、バックライト装置２３４の大型化を抑制できる。
【００５５】
＜実施形態３＞
次に、本発明の実施形態３を図６によって説明する。上記各実施形態と同一部分には、同一符号を付して重複する説明を省略する。本実施形態に係る液晶表示装置３１０のバックライト装置３３４においては、遮光部３６０として、光反射シート（光反射部）を用いる構成とした。遮光部３６０として用いられる光反射シートは、例えば合成樹脂製とされ、表面が光の反射性に優れた白色を呈するものとされる。なお、光反射シートはこの構成に限定されず、光を反射する機能を備えている構成であればよい。
【００５６】
本実施形態において遮光部３６０（光反射シート）は、Ｘ軸方向（各ＬＥＤ２２の配列方向）に延びる長手状をなしている。図６に示すように、本実施形態において、Ｙ軸方向における光学部材３４０（光学部材３４０を構成する光拡散シート３４１、プリズムシート３４２及び反射型偏光シート３４３）の長さは、同方向における導光板５０の長さより小さく設定されている。これにより、導光板５０の光出射面５０Ａにおいて、ＬＥＤ２２側の周端部には、光学部材３４０が配されていない箇所が形成されている。そして、この光学部材３４０が配されていない箇所に遮光部３６０が載置されており、各シート４１〜４３のＬＥＤ２２側における各側面３４１Ａ〜３４３Ａを覆う構成となっている。このような構成とすれば、ＬＥＤ２２からの光は、遮光部３６０によって反射される結果、各シート３４１〜３４３のＬＥＤ２２側における各側面３４１Ａ〜３４３Ａから、光が入射することを抑制できる。
【００５７】
また、遮光部３６０として、光反射シートの代わりに、光吸収シート（光吸収部）を用いる構成としてもよい。このような光吸収シートは、例えば、ＰＥＴ樹脂の板材の表面を、光吸収性の優れた黒色で着色することで構成される。なお、光吸収シートはこの構成に限定されず、光を吸収する機能を備えた構成であればよい。
【００５８】
＜他の実施形態＞
本発明は上記記述及び図面によって説明した実施形態に限定されるものではなく、例えば次のような実施形態も本発明の技術的範囲に含まれる。
【００５９】
（１）遮光部６０，２６０，３６０の構成は、上記各実施形態の構成に限定されず、各シート４１〜４３の側面４１Ａ〜４３Ａから、各シート４１〜４３内に入射する光を遮る構成であればよい。例えば、遮光性部材（例えば黒色に着色された光吸収作用を有する樹脂の粒子）を光学部材４０の各シート４１〜４３におけるＬＥＤ２２側の端部内に混入することで、遮光部を形成してもよい。つまり、遮光部が光学部材４０の内部に配されている構成であってもよい。このような構成とすれば、遮光部を別途取り付ける必要がなく、組み付けに係るコストを低減できる。
【００６０】
（２）上記各実施形態において、遮光部６０，２６０，３６０は、光学部材４０，３４０を構成する各シート４１〜４３（３４１〜３４３）の各側面４１Ａ〜４３Ａ（３４１Ａ〜３４３Ａ）を覆う構成としたが、３枚のシート４１〜４３（３４１〜３４３）のうち、いずれかのシートの側面だけを覆う構成であってもよい。
【００６１】
（３）上記実施形態１においては、フロントシャーシ１６の一部を遮光部６０としたが、この構成に限定されない。例えば、遮光部を別体としてもよく。その取り付け箇所や形状も適宜変更可能である。例えば、ＬＥＤ基板２４に遮光部を取り付ける構成としてもよく、ＬＥＤ基板２４から導光板５０に向かって突き出す形状で遮光部を形成し、この遮光部によって、各シート４１〜４３の各側面４１Ａ〜４３Ａを覆う構成としてもよい。
【００６２】
（４）光学部材４０，３４０の構成は、上記実施形態で例示したものに限定されない。光学部材４０，３４０を構成する各シートの有無、各シートの使用枚数などは適宜変更可能である。例えば、光学部材４０，３４０は、拡散シート４１だけを備えていてもよい。
また、光学部材４０，３４０は、上記実施形態で例示した以外の部材、例えば、拡散板（光拡散部材）やレンズシートなどを備えていてもよく、それらシートのＬＥＤ２２側の端部に遮光部を配する構成としてもよい。要するに、本発明は、内部で光を導光する可能性のある光学部材であれば、いかなるものでも適用可能であり、その光学部材におけるＬＥＤ２２側の端部に遮光部を配する構成とすればよい。
【００６３】
（５）上記各実施形態では、ＬＥＤユニット２６をバックライトシャーシ３２の側板３２ｂ，３２ｃのうち、一箇所にのみ配する構成を例示したが、この構成に限定されない。ＬＥＤユニット２６は複数箇所、例えば、他の側板３２ｂ，３２ｃに配されている構成であってもよい。この構成の場合、光学部材４０における各ＬＥＤユニット２６（ＬＥＤ２２）側の端部に遮光部をそれぞれ配する構成とすることも可能である。
【００６４】
（６）収容部材１５を構成するバックライトシャーシ３２とフロントシャーシ１６とは一体部品でもよい。
【００６５】
（７）上記実施形態では、光源としてＬＥＤ２２（発光ダイオード）を例示したが、これに限定されず、ＬＥＤ以外の光源を適用可能である。
【００６６】
（８）上記した実施形態では、液晶表示装置のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。
【００６７】
（９）上記した実施形態では、表示パネルとして液晶パネルを用いた液晶表示装置を例示したが、他の種類の表示パネルを用いた表示装置にも本発明は適用可能である。
【００６８】
（１０）上記した実施形態では、チューナーを備えたテレビ受信装置を例示したが、チューナーを備えない表示装置にも本発明は適用可能である。
【符号の説明】
【００６９】
１０，２１０，３１０…液晶表示装置（表示装置）、１２…液晶パネル（表示パネル）、１５…収容部材、２２…ＬＥＤ（光源）、２２Ａ…発光面、３４，２３４，３３４…バックライト装置（照明装置）、４１，３４１…光拡散シート（光学部材、光拡散部材）、４１Ａ，３４１Ａ…光拡散シートの側面（光学部材の光源側の側面）、４２，３４２…プリズムシート（光学部材）、４２Ａ，３４２Ａ…プリズムシートの側面（光学部材の光源側の側面）、４３，３４３…反射型偏光シート（光学部材）、４３Ａ，３４３Ａ…反射型偏光シートの側面（光学部材の光源側の側面）、５０…導光板、５０Ａ…光出射面、５０Ｄ…光入射面、６０，２６０，３６０…遮光部、ＴＶ…テレビ受信装置
【図１】
2011077866.tif 000003
【図２】
2011077866.tif 000004
【図３】
2011077866.tif 000005
【図４】
2011077866.tif 000006
【図５】
2011077866.tif 000007
【図６】
2011077866.tif 000008
【手続補正書】
【提出日】平成24年6月15日(2012.6.15)
【手続補正１】
【補正対象書類名】特許請求の範囲
【補正対象項目名】全文
【補正方法】変更
【補正の内容】
【特許請求の範囲】
【請求項１】
発光面を有する光源と、
前記発光面と対向状に配されるとともに前記発光面からの光が入射される光入射面及び、その光を出射させる光出射面を有する導光板と、
前記光出射面を覆う形で配された光学部材と、を備え、
前記光学部材における前記光源側の端部には、前記光学部材の前記光源側の側面から前記光学部材内に入射する光を遮る遮光部が配されており、
前記遮光部は、遮光性を有する塗料を前記光学部材における前記光源側の側面に塗布することで、または遮光性部材を前記光学部材における前記光源側の端部内に混入することで形成されていることを特徴とする照明装置。
【請求項２】
前記遮光部は、光を吸収可能な光吸収部であることを特徴とする請求項１に記載の照明装置。
【請求項３】
前記遮光部は、光を反射可能な光反射部であることを特徴とする請求項１に記載の照明装置。
【請求項４】
前記光学部材は、光拡散部材を備えることを特徴とする請求項１から請求項３のいずれか１項に記載の照明装置。
【請求項５】
前記光学部材は、プリズムシートを備えることを特徴とする請求項１から請求項４のいずれか１項に記載の照明装置。
【請求項６】
前記光学部材は、反射型偏光シートを備えることを特徴とする請求項１から請求項５のいずれか１項に記載の照明装置。
【請求項７】
前記光源は、発光ダイオードであることを特徴とする請求項１から請求項６のいずれか１項に記載の照明装置。
【請求項８】
請求項１から請求項７のいずれか１項に記載の照明装置と、
前記照明装置からの光を利用して表示を行う表示パネルと、を備えることを特徴とする表示装置。
【請求項９】
前記表示パネルが液晶を用いた液晶パネルであることを特徴とする請求項８に記載の表示装置。
【請求項１０】
請求項８又は請求項９に記載された表示装置を備えることを特徴とするテレビ受信装置。
【国際調査報告】
2011077866.tif 000009
2011077866.tif 000010
2011077866.tif 000011
2011077866.tif 000012
2011077866.tif 000013